(57)【要約】【課題】コンピュータを起動することなく受信データの受信件数を確認することができるファクシミリ装置を提供する。【解決手段】ファクシミリ装置１は、ＬＡＮ２を介してパーソナルコンピュータと接続されており、ペーパレス受信状態に設定されているときにはファクシミリ通信により受信した受信データを印刷することなく、パーソナルコンピュータに配信する。ファクシミリを受信したときにパーソナルコンピュータが起動していないときには、その受信データは画像メモリ２０に格納される。また、送信元からサブアドレスが指定されているときには、そのサブアドレスに対応する受信ＢＯＸ３０に受信データが格納される。そして、留守番ボタン１９が押下されたときには、画像メモリ２０に蓄積されている受信データの受信件数が受信ＢＯＸ３０ごとに音声出力部１５から音声データにて出力される。【選択図】図２
2006109248.tif 000002
【特許請求の範囲】
【請求項１】
ネットワーク経由にて接続されたコンピュータに受信データを配信するファクシミリ装置であって、
前記コンピュータが起動していないときに受信した受信データを蓄積する受信データ記憶手段と、
所定の機能ボタンの押下に応答して前記受信データ記憶手段に蓄積された受信データの受信件数を音声メッセージにて出力する音声出力手段と、
を備えることを特徴とするファクシミリ装置。
【請求項２】
請求項１記載のファクシミリ装置において、
ワンタッチまたは短縮ダイヤル操作により自動発呼を行う電話番号と当該電話番号の相手先名称とを予め関連づけて登録した電話番号登録テーブルを格納するテーブル格納手段をさらに備え、
前記受信データ記憶手段は、前記コンピュータが起動していないときに受信した受信データを当該受信データの送信元の電話番号と関連づけて記憶し、
前記音声出力手段は、前記所定の機能ボタンが押下されたときに、前記受信データ記憶手段に記憶された送信元の電話番号のうち前記電話番号登録テーブルに登録されている番号に関連づけられた相手先名称を音声メッセージにて出力することを特徴とするファクシミリ装置。
【請求項３】
請求項１または請求項２に記載のファクシミリ装置において、
前記受信データ記憶手段は、送信元の要求に応じて受信データを区分けして記憶する複数の記憶領域を備え、
前記音声出力手段は、前記所定の機能ボタンが押下されたときに、前記受信データ記憶手段に蓄積された受信データの総受信件数および前記複数の記憶領域ごとに記憶された受信データの個別受信件数を音声メッセージにて出力することを特徴とするファクシミリ装置。
【発明の詳細な説明】
【技術分野】
【０００１】
本発明は、ＬＡＮ等のネットワークを経由して接続されたコンピュータに受信データを配信するファクシミリ装置に関する。
【背景技術】
【０００２】
周知のように、ファクシミリ装置にはメモリ受信の機能が実装されており、メモリ受信状態のときにファクシミリ装置は受信したデータを印刷することなく一旦メモリに格納する。特許文献１には、メモリ受信をオフにしたときに、メモリ受信の受信件数を報知する技術が開示されている。
【０００３】
一方、近年はＬＡＮ（Local Area Network）に接続可能なファクシミリ装置も普及しつつある（例えば、特許文献２参照）。このようなファクシミリ装置は、ＬＡＮを介してパーソナルコンピュータ等と接続されており、ペーパレス受信状態に設定されると、受信データを印字することなくパーソナルコンピュータに配信する。利用者は、印字された紙ではなく、パーソナルコンピュータ上にてＦＡＸの受信内容を確認する。
【０００４】
【特許文献１】特開平５−３４４２６０号公報
【特許文献２】特開２０００−１０１７７６号公報
【発明の開示】
【発明が解決しようとする課題】
【０００５】
しかしながら、上記のようなＬＡＮを介してファクシミリ装置とパーソナルコンピュータとが接続されたシステムにおいて、ファクシミリ装置がペーパレス受信状態に設定されているにも関わらず、パーソナルコンピュータが起動していないときには、当然に受信データをパーソナルコンピュータに配信することができない。例えば、パーソナルコンピュータを起動していない留守中のオフィス等ではこのような状態になることがある。
【０００６】
このような場合は、上述したメモリ受信の機能を利用して、受信データを一旦ファクシミリ装置内のメモリに格納しておくようにすることができる。利用者は、例えばオフィスに戻ってからパーソナルコンピュータを起動し、ファクシミリ装置のメモリから受信データを読み出して受信内容を確認することができる。
【０００７】
ところが、単に留守中のＦＡＸ受信の有無だけを確認したいような場合もある。また、留守中のＦＡＸ受信の件数だけを知りたい場合もある。このような件数確認のためだけにパーソナルコンピュータを起動するのは煩雑な作業であるし、また、留守中にＦＡＸ受信が無かった場合には無駄な作業となる。
【０００８】
また、オフィス等で複数の利用者がファクシミリ装置を共同で利用しているような場合は、ファクシミリ装置内のメモリに複数の受信ＢＯＸを設定し、受信したデータを受信ＢＯＸごとに区分けして記憶させておくこともできる。このような場合は、自分と関係のある受信ＢＯＸに振り分けられて格納された受信データの件数を知ることができれば便利である。
【０００９】
本発明は、上記の事情に鑑みてなされたものであり、コンピュータを起動することなく受信データの受信件数を確認することができるファクシミリ装置を提供することを第１の目的とする。
【００１０】
また、本発明は、送信元の要求に応じて区分けされた区分ごとの受信件数を確認することができるファクシミリ装置を提供することを第２の目的とする。
【課題を解決するための手段】
【００１１】
上記第１の目的を達成するため、請求項１の発明は、ネットワーク経由にて接続されたコンピュータに受信データを配信するファクシミリ装置において、前記コンピュータが起動していないときに受信した受信データを蓄積する受信データ記憶手段と、所定の機能ボタンの押下に応答して前記受信データ記憶手段に蓄積された受信データの受信件数を音声メッセージにて出力する音声出力手段と、を備える。
【００１２】
また、請求項２の発明は、請求項１の発明に係るファクシミリ装置において、ワンタッチまたは短縮ダイヤル操作により自動発呼を行う電話番号と当該電話番号の相手先名称とを予め関連づけて登録した電話番号登録テーブルを格納するテーブル格納手段をさらに備え、前記受信データ記憶手段に、前記コンピュータが起動していないときに受信した受信データを当該受信データの送信元の電話番号と関連づけて記憶させ、前記音声出力手段に、前記所定の機能ボタンが押下されたときに、前記受信データ記憶手段に記憶された送信元の電話番号のうち前記電話番号登録テーブルに登録されている番号に関連づけられた相手先名称を音声メッセージにて出力させる。
【００１３】
また、上記第２の目的を達成するため、請求項３の発明は、請求項１または請求項２の発明に係るファクシミリ装置において、前記受信データ記憶手段に、送信元の要求に応じて受信データを区分けして記憶する複数の記憶領域を備え、前記音声出力手段に、前記所定の機能ボタンが押下されたときに、前記受信データ記憶手段に蓄積された受信データの総受信件数および前記複数の記憶領域ごとに記憶された受信データの個別受信件数を音声メッセージにて出力させる。
【発明の効果】
【００１４】
請求項１の発明によれば、コンピュータが起動していないときに受信した受信データを受信データ記憶手段に蓄積し、所定の機能ボタンの押下に応答して受信データ記憶手段に蓄積された受信データの受信件数を音声メッセージにて出力するため、コンピュータが起動していないときにファクシミリ装置が受信した受信データの受信件数を、コンピュータを起動することなく機能ボタンを押下するだけで簡単に確認することができる。
【００１５】
また、請求項２の発明によれば、所定の機能ボタンが押下されたときに、受信データ記憶手段に記憶された送信元の電話番号のうち電話番号登録テーブルに登録されている番号に関連づけられた相手先名称を音声メッセージにて出力するため、コンピュータが起動していないときにファクシミリ装置が受信した受信データの送信元名称を、コンピュータを起動することなく機能ボタンを押下するだけで簡単に確認することができる。
【００１６】
また、請求項３の発明によれば、所定の機能ボタンが押下されたときに、受信データ記憶手段に蓄積された受信データの総受信件数および複数の記憶領域ごとに記憶された受信データの個別受信件数を音声メッセージにて出力するため、コンピュータを起動することなく機能ボタンを押下するだけで送信元の要求に応じて区分けされた区分ごとの受信件数を簡単に確認することができる。
【発明を実施するための最良の形態】
【００１７】
以下、図面を参照しつつ本発明の実施の形態について詳細に説明する。
【００１８】
＜１．第１実施形態＞
図１は、本発明に係るファクシミリ装置が接続されているネットワークシステムの構成例を示す図である。ローカルエリアネットワーク（以下、「ＬＡＮ」とする）２には、ファクシミリ装置１の他にパーソナルコンピュータ（以下、「ＰＣ」とする）３が接続されている。ＰＣ３は、ＣＰＵ、ＲＡＭ、ＲＯＭ、ハードディスク、ネットワーク接続インターフェイス、ディスプレイ、キーボードおよびマウス等を有する一般的なコンピュータである。なお、ＬＡＮ２に接続されるＰＣ３は一つに限定されるものではなく、複数であっても良い。
【００１９】
ファクシミリ装置１は、ＰＳＴＮ等によって構成される公衆電話回線網４とアナログ回線５を介して接続されている。ファクシミリ装置１は、公衆電話回線網４を介して他のファクシミリ装置とファクシミリ通信を行うことができる。
【００２０】
また、本実施形態のファクシミリ装置１は、受信内容を印刷するという通常のファクシミリ受信の他に、受信データをＬＡＮ２を経由してＰＣ３に配信するといういわゆるペーパレス受信を行う機能を有している。配信された受信内容はＰＣ３上で起動する所定のアプリケーションによってディスプレイに表示される。
【００２１】
図２は、ファクシミリ装置１の構成を示すブロック図である。同図に示すように、ファクシミリ装置１は、主制御部１０にＮＣＵ１１、読取部１３、印刷部１４、音声出力部１５、表示部１７、操作部１８、画像メモリ２０およびデータメモリ２２等をバスライン２３を介して接続して構成されている。
【００２２】
主制御部１０は、ＣＰＵで構成されており、ファクシミリ装置１の各部を制御するとともに、ＲＯＭ２１に記憶されたコンピュータプログラムを実行することによってモデム切替、通信手順およびイメージデータの符号化や復号化等の基本的なファクシミリ通信処理を行う。
【００２３】
モデム１２は、バスライン２３に接続されており、ファクシミリ通信が可能なＦＡＸモデムとしての機能を備えている。また、モデム１２は、バスライン２３に接続されたＮＣＵ（Network Control Unit）１１と直接的に接続されている。ＮＣＵ１１は、アナログ回線５の閉結および開放の動作を行うハードウェアであり、主制御部１０の制御に従ってモデム１２をアナログ回線５と接続する。なお、ファクシミリ装置１にＤＳＵ（Digital Service Unit）を備えることによって、ベースバンド伝送方式のデジタル回線に接続するようにしても良い。
【００２４】
読取部１３は、ＣＣＤ等のラインセンサによって紙媒体の原稿を走査して読み取り、白黒２値のイメージデータを取得する。印刷部１４は、電子写真方式のプリンタ装置を備え、イメージデータを印刷用紙に印刷する。また、音声出力部１５は、バスライン２３を介して送信された所定形式のデータを音声信号に変換する音声合成部と、その音声信号を音声として出力するスピーカとを備えており、該データを音声メッセージとして出力する。
【００２５】
ＬＡＮインターフェイス１６は、主制御部１０およびバスライン２３に接続された各処理部をＬＡＮ２に接続するためのインターフェイス回路であり、プロトコル変換等の処理を行う。これにより、ファクシミリ装置１とＰＣ３との通信機能が実現される。
【００２６】
表示部１７は、大型の液晶ディスプレイを用いて構成されており、ファクシミリ装置１の動作状態を表示したり、送信すべきファクシミリメッセージおよび受信したファクシミリメッセージ等の表示を行う。
【００２７】
操作部１８は、ファクシミリ装置１を操作するために必要な文字キー、テンキー、短縮ダイヤルキー、ワンタッチダイヤルキー、各種ファンクションキーの他に、留守番ボタン１９を備えて構成される。留守番ボタン１９を押下したときのファクシミリ装置１の動作についてはさらに後述する。なお、表示部１７にタッチパネル機能を付加することにより、この操作部１８の各種キーの一部または全部を代用することも可能である。
【００２８】
画像メモリ２０は、ＤＲＡＭ等の読み出しおよび書き込みのいずれもが可能なメモリによって構成され、読取部１３によって読み取られた送信すべきデータやファクシミリ通信によって受信されたデータを記憶する。また、画像メモリ２０には、受信データを区分けして記憶する複数の受信ＢＯＸ３０が設けられている。
【００２９】
図３は、受信ＢＯＸ３０の構成を概念的に示す図である。それぞれの受信ＢＯＸ３０は、画像メモリ２０内に設定された記憶領域である。このような複数の受信ＢＯＸ３０は、ファクシミリ通信によって受信された受信データを宛先に応じて振り分けるために設けられている。例えば、オフィスに設置されたファクシミリ装置１を複数の作業グループが共同で使用するような状況においては、ファクシミリ装置１にて受信ＦＡＸを作業グループごとに振り分けた方が便利であり、このような場合に作業グループごとに一つの受信ＢＯＸ３０を割り当てる。そして、ある作業グループ宛の受信データは受信ＢＯＸ３０ａに振り分けて記憶し、他の作業グループ宛の受信データは受信ＢＯＸ３０ｃに振り分けて記憶するというようにする。なお、図３の例では、３つの受信ＢＯＸ３０を設定しているが、これに限定されるものではなく、受信ＢＯＸ３０の個数は任意のものとすることができる。また、受信ＢＯＸ３０ａ，３０ｂ，３０ｃを特に区別する必要のないときには単に受信ＢＯＸ３０と記載する。
【００３０】
受信ＢＯＸ３０への振り分けについてより詳細に説明する。まず、受信ＢＯＸ３０ａ，３０ｂ，３０ｃごとに予め固有のサブアドレスを割り当てておく。図３の例では、受信ＢＯＸ３０ａにサブアドレス”＊０１”を、受信ＢＯＸ３０ｂにサブアドレス”＊０２”を、受信ＢＯＸ３０ｃにサブアドレス”＊０３”をそれぞれ割り当てている。そして、ＦＡＸの受け取り先とサブアドレスとの対応関係についても予め送信元に通知しておく。送信元は、ＦＡＸの宛先に対応するサブアドレスを例えばファクシミリ装置１の電話番号の末尾に付加して送信する。このようなファクシミリ通信によって受信された受信データは、ファクシミリ装置１の電話番号に付加されたサブアドレスに応じて主制御部１０がいずれかの受信ＢＯＸ３０に格納する。例えば、ファクシミリ装置１の電話番号の末尾にサブアドレス”＊０２”が付加されていることを認識した主制御部１０は、サブアドレス”＊０２”に対応する受信ＢＯＸ３０ｂに受信データを格納する。すなわち、それぞれの受信ＢＯＸ３０には送信元の要求に応じて受信データが区分けして格納されるのである。なお、サブアドレスの指定のない受信データについては、画像メモリ２０内の受信ＢＯＸ３０以外の領域に格納される。また、本明細書において、「電話番号」というときには通常の電話番号の他にいわゆるファクシミリ番号も含むものとする。
【００３１】
また、ファクシミリ通信によって受信した受信データを主制御部１０が画像メモリ２０に格納するときには、図３に示すように、受信データをその送信元の電話番号と関連づけて格納する。なお、イメージデータと送信元の電話番号とを併せて受信データとするようにしてもよい。
【００３２】
図２に戻り、ＲＯＭ２１は、ファクシミリ装置１の動作に必要な種々のコンピュータプログラムやデータを予め格納した読み出し専用のメモリである。
【００３３】
また、データメモリ２２は、適宜変更される各種のデータを記憶するメモリであり、フラッシュメモリやＭＲＡＭ等の読み出しおよび書き込みのいずれも可能な不揮発性のメモリにて構成される。データメモリ２２には、電話番号登録テーブル４０が記憶されている。
【００３４】
図４は、電話番号登録テーブル４０の一例を示す図である。電話番号登録テーブル４０は、ファクシミリ装置１において短縮ダイヤル操作またはワンタッチダイヤル操作を行うときに使用されるものである。電話番号登録テーブル４０には、ワンタッチダイヤル操作または短縮ダイヤル操作により自動発呼を行う電話番号と当該電話番号の相手先名称とが予め関連づけられて登録されている。このような電話番号登録テーブル４０は、ファクシミリ装置１のユーザがワンタッチダイヤル登録または短縮ダイヤル登録を行うときに主制御部１０が逐次作成してデータメモリ２２内に格納するものである。例えば、ユーザがファクシミリ装置１において、あるワンタッチダイヤルキーに、相手先名称”ＣＤ”とその電話番号”０１２−３４５−６７８９”を割り当てたとすると、主制御部１０が当該ワンタッチダイヤルキーと相手先名称”ＣＤ”と電話番号”０１２−３４５−６７８９”とを相互に関連づけて電話番号登録テーブル４０に追記する。これにより、ユーザは相手先名称”ＣＤ”に割り当てたワンタッチダイヤルキーを押すだけで、主制御部１０がそのワンタッチダイヤルキーに対応する電話番号”０１２−３４５−６７８９”をデータメモリ２２から読み出して自動発呼を行う。
【００３５】
以上のような構成を備えることによって、ファクシミリ装置１は、ファクシミリ機能、コピー機能、スキャナ機能、プリンタ機能などの複数の機能を有する複合機として利用することができる。さらに本実施形態のファクシミリ装置１は、ＬＡＮ２を経由してＰＣ３と接続されており、受信データをファクシミリ装置１からＰＣ３に配信したり、ＰＣ３の操作によってＬＡＮ２を介してファクシミリ装置１の上記諸機能を利用することも可能である。
【００３６】
次に、以上のような構成を有するファクシミリ装置１の処理動作について説明する。図５は、ファクシミリ装置１におけるＦＡＸ受信時の処理手順を示すフローチャートである。ここでは、ファクシミリ装置１がペーパレス受信状態、すなわちファクシミリ通信によって受信した受信データを印刷部１４にて印刷するのではなく、ＬＡＮ２経由にてＰＣ３に配信するモードに設定されているものとする。まず、ステップＳ１において、ファクシミリ装置１に公衆電話回線網４を経由したファクシミリ通信の着信がある。着信時にファクシミリ装置１は、相手機（送信側）との通信機能確認やファクシミリ通信のための諸設定を所定の手順に従って実行する。
【００３７】
続いて、ステップＳ２に進み、ＬＡＮ２を介して接続されたＰＣ３の起動の有無を主制御部１０がチェックする。そして、ＰＣ３が起動していれば、ステップＳ５に進み、ファクシミリ通信によって受信した受信データをＰＣ３に配信する。配信を受けたＰＣ３では、所定のアプリケーションを起動することによって受信内容を確認することができる。
【００３８】
一方、ファクシミリ着信時にＰＣ３が起動していない場合には、ステップＳ３に進み、サブアドレスの指定の有無を主制御部１０がチェックする。サブアドレスの指定が無い場合、つまり送信側において単にファクシミリ装置１の電話番号のみが指定されているときには、ステップＳ６に進み、ファクシミリ装置１が受信処理を実行してその受信データを主制御部１０が画像メモリ２０に格納する。なお、この場合、受信データは画像メモリ２０内の受信ＢＯＸ３０以外の領域に格納される。また、受信データは送信元の電話番号と関連づけて画像メモリ２０内に記憶される。さらに、画像メモリ２０に格納されている受信データの総受信件数を示す総件数カウンターが主制御部１０によってインクリメントされる。
【００３９】
サブアドレスの指定がある場合、つまり送信側においてファクシミリ装置１の電話番号の末尾にサブアドレスを付加している場合には、ステップＳ４に進み、ファクシミリ装置１が受信処理を実行してその受信データを主制御部１０が指定されたサブアドレスに対応する受信ＢＯＸ３０に区分けして格納する。例えば、ファクシミリ装置１の電話番号の末尾にサブアドレス”＊０１”が付加されている場合には、主制御部１０が受信データをサブアドレス”＊０１”に対応する受信ＢＯＸ３０ａに格納する。このときにも、受信データは送信元の電話番号と関連づけて画像メモリ２０内の各受信ＢＯＸに記憶される。また、画像メモリ２０に格納されている受信データの総受信件数を示す総件数カウンターおよび指定されたサブアドレスに対応する受信ＢＯＸ３０に格納されている受信データの件数を示す個別件数カウンターの双方が主制御部１０によってインクリメントされる。なお、かかる個別件数カウンターは、複数の受信ＢＯＸ３０のそれぞれについて設定されている。
【００４０】
以上のようにして、ペーパレス受信状態であるにもかかわらず、ＰＣ３が起動していないときにファクシミリ装置１が受信した受信データについては送信元の電話番号と関連づけて画像メモリ２０に順次蓄積される。そして、特に送信側においてファクシミリ装置１の電話番号の末尾にサブアドレスを付加している場合には、その送信元の要求に応じて受信データが該サブアドレスに対応する受信ＢＯＸ３０に区分けされて格納される。
【００４１】
ファクシミリ装置１が設置されているオフィス等において、ＰＣ３が起動していないときは通常そのオフィスに人が不在のときである。このような状況において、オフィスに人が戻ってきたときに、ＰＣ３を起動することなくＦＡＸ受信件数を確認できるようにすることが望まれている。そこで、本発明に係るファクシミリ装置１においては、以下のようにしてＦＡＸ受信件数を確認できるようにしている。
【００４２】
図６は、ファクシミリ装置１における受信件数確認の処理手順を示すフローチャートである。まず、ステップＳ１１にて、留守番ボタン１９が押下されたか否かが主制御部１０によってチェックされる。留守番ボタン１９が押下されていないときには、図５の受信処理手順が継続して続行される。
【００４３】
一方、留守番ボタン１９が押下されたときには、ステップＳ１２に進み、画像メモリ２０に蓄積されている受信データの受信件数が音声出力部１５から音声メッセージにて出力される。具体的には、画像メモリ２０に格納されている受信データの総受信件数を示す総件数カウンターを主制御部１０が読み出してその数値を所定形式のデータにて音声出力部１５に伝達する。音声出力部１５は、そのデータを音声信号に変換してさらにスピーカから音声メッセージにて出力する。総件数カウンターは受信ＢＯＸ３０に受信データが格納されたときにもインクリメントされるため、このときに音声出力部１５から音声データにて出力されるのは、画像メモリ２０に蓄積された受信データの総受信件数である。
【００４４】
続いて、ステップＳ１３に進み、画像メモリ２０内の複数の受信ＢＯＸ３０のそれぞれに格納されている受信データの受信件数が音声出力部１５から音声メッセージにて出力される。具体的には、受信ＢＯＸ３０のそれぞれに格納されている受信データの件数を示す個別件数カウンターを主制御部１０が読み出してその数値および対応する受信ＢＯＸ３０の識別符号（例えば、サブアドレスをそのまま代用しても良い）を所定形式のデータにて音声出力部１５に伝達する。音声出力部１５は、そのデータを音声信号に変換してさらにスピーカから音声メッセージにて出力する。個別件数カウンターは、受信ＢＯＸ３０のそれぞれに格納されている受信データの件数を示すものであるため、このときに音声出力部１５から音声データにて出力されるのは、複数の受信ＢＯＸ３０ごとに記憶された受信データの個別受信件数である。なお、留守番ボタン１９が押下されて受信件数が報知された後に、総件数カウンターおよび個別件数カウンターはゼロにリセットされる。
【００４５】
以上のようにすれば、留守番ボタン１９の押下に応答して画像メモリ２０に蓄積されている受信データの受信件数が音声出力部１５から音声データにて出力されるため、ペーパレス受信状態であるにもかかわらずＰＣ３が起動していないときにファクシミリ装置１が受信した受信データの受信件数を、ＰＣ３を起動することなく留守番ボタン１９を押下するだけで簡単に確認することができる。
【００４６】
また、画像メモリ２０に蓄積された受信データの総受信件数とともに、複数の受信ＢＯＸ３０ごとに記憶された受信データの個別受信件数も音声出力部１５から音声データにて出力されるため、ＰＣ３を起動することなく留守番ボタン１９を押下するだけで送信元の要求に応じて区分けされた区分ごとの受信件数をも簡単に確認することができる。その結果、例えば、オフィスの作業者は自分と関係のある受信ＢＯＸに振り分けられて格納された受信データの件数を容易に知ることができる。
【００４７】
＜２．第２実施形態＞
次に、本発明の第２実施形態について説明する。第２実施形態のファクシミリ装置１の構成については第１実施形態と全く同じである。また、第２実施形態のファクシミリ装置１の処理内容も基本的には第１実施形態と同じであるが、ＰＣ３が起動していないときにファクシミリ装置１が受信した受信データの受信件数のみならず、送信元の名称をも音声メッセージにて出力するようにしている。
【００４８】
具体的には、図６のステップＳ１３の後工程として、まず受信データとともにそれに関連づけられて画像メモリ２０に記憶されている送信元の電話番号を主制御部１０が読み出す。このときには、受信ＢＯＸ３０に格納されているか否かに関わらず、画像メモリ２０に蓄積されている全ての受信データに関連づけられている送信元の電話番号が読み出される。続いて、主制御部１０がデータメモリ２２に格納されている電話番号登録テーブル４０を検索することによって、それら送信元の電話番号のうち電話番号登録テーブル４０に登録されている電話番号とそれに関連づけられた相手先名称を抽出する。そして、主制御部１０が抽出した相手先名称を所定形式のデータにて音声出力部１５に伝達する。音声出力部１５は、そのデータを音声信号に変換してさらにスピーカから音声メッセージにて出力する。なお、このときに複数の受信ＢＯＸ３０ごとに送信元の相手先名称を音声出力部１５から音声データにて出力するようにしても良い。
【００４９】
電話番号登録テーブル４０にはワンタッチダイヤル操作または短縮ダイヤル操作により自動発呼を行う電話番号が登録されているため、そのようなワンタッチダイヤル登録または短縮ダイヤル登録されている送信元からＰＣ３が起動していないときにファクシミリ装置１に着信したような場合であっても、ＰＣ３を起動することなく留守番ボタン１９を押下するだけで簡単にその相手先名称を知ることができる。
【００５０】
＜３．変形例＞
以上、本発明の実施の形態について説明したが、この発明は上記の例に限定されるものではない。例えば、上記実施形態においては、ＰＣ３が起動していないときにファクシミリ装置１が受信した受信データの受信件数や送信元の名称を音声出力部１５から音声データにて出力するようにしていたが、これに代えて表示部１７に表示するようにしても良い。或いは、受信データの受信件数や送信元の名称を音声出力部１５から音声データにて出力するとともに表示部１７に表示するようにしても良い。
【図面の簡単な説明】
【００５１】
【図１】本発明に係るファクシミリ装置が接続されているネットワークシステムの構成例を示す図である。
【図２】本発明に係るファクシミリ装置の構成を示すブロック図である。
【図３】受信ＢＯＸの構成を概念的に示す図である。
【図４】電話番号登録テーブルの一例を示す図である。
【図５】ファクシミリ装置におけるＦＡＸ受信時の処理手順を示すフローチャートである。
【図６】ファクシミリ装置における受信件数確認の処理手順を示すフローチャートである。
【符号の説明】
【００５２】
１  ファクシミリ装置
２  ＬＡＮ
３  パーソナルコンピュータ
４  公衆電話回線網
５  アナログ回線
１０  主制御部
１５  音声出力部
１７  表示部
１８  操作部
１９  留守番ボタン
２０  画像メモリ
２２  データメモリ
２３  バスライン
３０  受信ＢＯＸ
４０  電話番号登録テーブル
【図１】
2006109248.tif 000003
【図２】
2006109248.tif 000004
【図３】
2006109248.tif 000005
【図４】
2006109248.tif 000006
【図５】
2006109248.tif 000007
【図６】
2006109248.tif 000008